(57)【要約】      （修正有）【課題】チャネル時間割当てを再スケジューリングしたり、任意の他の適切な動作を実行したりするための、拡張スケジューリング要素を生成する通信方法及び通信装置を提供する。【解決手段】コーディネータ通信装置の通信方法であって、第１通信装置が用いる第１スケジューリング要素と、第２通信装置が用いる第２スケジューリング要素と、を生成し、第１及び第２スケジューリング要素を、第１及び第２通信装置に送信する。第１スケジューリング要素は、第２割当の複製である第１仮想割当と、第１通信装置に割り当てる時間−周波数リソースを示す第１割当と、を含む。第２スケジューリング要素は、第２通信装置に割り当てる時間−周波数リソースを示す第２割当を含む。第１通信装置は、第１周波数帯を用いた第１通信方式によって通信する。第２通信装置は、第１通信方式又は第１周波数帯を含む第２周波数帯を用いた第２通信方式によって通信する。【選択図】図１０
2020162164.tif 000002
【特許請求の範囲】
【請求項１】
非レガシ通信端末のための通信方法であって、
レガシ通信端末である少なくとも１つの第１通信装置のための第１スケジューリング要素と、前記非レガシ通信端末である少なくとも１つの第２通信装置のための第２スケジューリング要素と、を含むフレームを受信し、
前記第２スケジューリング要素は、前記少なくとも１つの第２通信装置に割り当てる周波数リソースを示す情報を含む少なくとも１つの第２割当フィールドを含み、
前記第１スケジューリング要素は、前記少なくとも１つの第１通信装置に割り当てる時間リソースを示す情報を含む少なくとも１つの第１割当フィールドと、前記少なくとも１つの第２通信装置に割り当てる時間リソースを示す情報を含む仮想割当フィールドである少なくとも１つの第３割当フィールドと、を含み、前記少なくとも１つの第３割当フィールドに含まれる情報の一部は、前記少なくとも１つの第２割当フィールドに含まれる情報と対応し、
前記第１スケジューリング要素及び前記第２スケジューリング要素を用いて前記非レガシ通信端末に割り当てられた周波数リソース及び時間リソースを特定する、
非レガシ通信端末の通信方法。
【請求項２】
前記第２割当フィールドは、前記少なくとも１つの第２通信装置が、第１周波数帯を用いた第１通信方式、または、前記第１周波数帯を含む第２周波数帯を用いた第２通信方式によって通信する周波数リソースを示す、
請求項１に記載の通信方法。
【請求項３】
前記第１割当フィールドは、前記少なくとも１つの第１通信装置が、第１周波数帯を用いた第１通信方式によって通信する時間リソースを示す、
請求項１又は２に記載の通信方法。
【請求項４】
前記第３割当フィールドは、前記第２割当フィールドに対応する第１仮想割当を含む、
請求項１ないし３いずれか一項に記載の通信方法。
【請求項５】
前記第１仮想割当が示す接続時間は、前記第２割当フィールドに対応するが示す接続時間と同じである、
請求項４に記載の通信方法。
【請求項６】
前記第２割当フィールドは、前記第１仮想割当が前記第１スケジューリング要素に含まれるか否かを示す指標を含む、
請求項４又は５に記載の通信方法。
【請求項７】
レガシ通信端末である少なくとも１つの第１通信装置のための第１スケジューリング要素と、非レガシ通信端末である少なくとも１つの第２通信装置のための第２スケジューリング要素と、を含むフレームを受信する受信部と、
前記第２スケジューリング要素は、前記少なくとも１つの第２通信装置に割り当てる周波数リソースを示す情報を含む少なくとも１つの第２割当フィールドを含み、
前記第１スケジューリング要素は、前記少なくとも１つの第１通信装置に割り当てる時間リソースを示す情報を含む少なくとも１つの第１割当フィールドと、前記少なくとも１つの第２通信装置に割り当てる時間リソースを示す情報を含む仮想割当フィールドである少なくとも１つの第３割当フィールドと、を含み、前記少なくとも１つの第３割当フィールドに含まれる情報の一部は、前記少なくとも１つの第２割当フィールドに含まれる情報と対応し、
前記第１スケジューリング要素及び前記第２スケジューリング要素を用いて前記非レガシ通信端末に割り当てられた周波数リソース及び時間リソースを特定するリソース特定部と、
を具備する非レガシ通信端末。
【請求項８】
前記第２割当フィールドは、前記少なくとも１つの第２通信装置が、第１周波数帯を用いた第１通信方式、または、前記第１周波数帯を含む第２周波数帯を用いた第２通信方式によって通信する周波数リソースを示す、
請求項７に記載の非レガシ通信端末。
【請求項９】
前記第１割当フィールドは、前記少なくとも１つの第１通信装置が、第１周波数帯を用いた第１通信方式によって通信する時間リソースを示す、
請求項７又は８に記載の非レガシ通信端末。
【請求項１０】
前記第３割当フィールドは、前記第２割当フィールドに対応する第１仮想割当を含む、
請求項７ないし９いずれか一項に記載の非レガシ通信端末。
【請求項１１】
前記第１仮想割当が示す接続時間は、前記第２割当フィールドに対応するが示す接続時間と同じである、
請求項１０に記載の非レガシ通信端末。
【請求項１２】
前記第２割当フィールドは、前記第１仮想割当が前記第１スケジューリング要素に含まれるか否かを示す指標を含む、
請求項１０又は１１に記載の非レガシ通信端末。
【発明の詳細な説明】
【技術分野】
【０００１】
本開示は、通信方法及び非レガシ通信端末に関し、より詳細には、ＷＬＡＮ（無線ローカルエリアネットワーク）における干渉を抑制する通信方法及び非レガシ通信端末に関する。
【背景技術】
【０００２】
免許不要な６０ＧＨｚミリ波ネットワークへの関心が高まっている。ＷｉｒｅｌｅｓｓＨＤ技術は、６０ＧＨｚミリ波の最初の業界標準であり、家庭用電化製品、パソコン、および携帯型製品の間での高詳細の音声、映像、およびデータのマルチギガビットの無線ストリーミングを可能にする。
【０００３】
また、６０ＧＨｚミリ波周波数帯において動作する他のマルチギガビット無線通信技術として、ＷｉＧｉｇ（Wireless Gigabit）技術がある。ＷｉＧｉｇ技術は、ＩＥＥＥ（米国電気電子学会）によってＩＥＥＥ８０２．１１ａｄ規格（非特許文献１参照）として標準化されている。ＷｉＧｉｇ技術は、２．１６ＧＨｚという広いチャネル帯域幅を用いて、最大６．７ＧｂｐｓのＰＨＹ（物理層）データ速度を提供できる。
【０００４】
ＷｉＧｉｇのＭＡＣ（メディアアクセス制御）層は、インフラストラクチャＢＳＳ（基本サービスセット）やＰＢＳＳ（パーソナルＢＳＳ）などの集中ネットワークアーキテクチャをサポートする。このアーキテクチャでは、中央のコーディネータ（例えば、ＡＰ（アクセスポイント）やＰＣＰ（パーソナルＢＳＳ制御ポイント）、以下ＰＣＰ／ＡＰと記載）がＤＭＧ（指向性マルチギガビット）ビーコンを送信してネットワーク内のすべてのＳＴＡ（ステーション）を同期させる。
【０００５】
また、ＷｉＧｉｇのＭＡＣ層では、同一チャネルを使用する他のＢＳＳとの空間多重および干渉緩和を行うため、いわゆるＰＣＰ／ＡＰクラスタリングメカニズムが導入される。ＰＣＰ／ＡＰクラスタリングでは、クラスタのメンバであるクラスタリング対応ＰＣＰ／ＡＰが同じクラスタ内の他のメンバと重複しない期間に送信するように、送信がスケジューリングされる。
【０００６】
ＰＣＰ／ＡＰクラスタリングにおいて、チャネル時間割当て（channel time allocation）に関するスケジューリング情報は、ＥＳＥ（拡張スケジューリング要素）に含まれる。ＰＣＰ／ＡＰは、１つまたは複数のＥＳＥを含むＤＭＧビーコンを時分割方式で送信する。
【０００７】
既存のＷｉＧｉｇ（以下、レガシＷｉＧｉｇと記載）デバイスよりも、データ速度の高い技術として、ＮＧ６０（次世代６０ＧＨｚ）ＷｉＧｉｇ（以下、ＮＧ６０＿ＷｉＧｉｇと記載）という技術が開発されている。ＮＧ６０＿ＷｉＧｉｇが最大で数十ＧｂｐｓのＰＨＹデータ速度を達成するためには、レガシＷｉＧｉｇデバイスとの下位互換性を維持しながら、ＭＩＭＯ（多入力多出力）送信および可変チャネル帯域幅をサポートする技術が望ましい。
【先行技術文献】
【非特許文献】
【０００８】
【非特許文献１】ＩＥＥＥ規格８０２．１１−２０１２
【発明の概要】
【０００９】
ＮＧ６０＿ＷｉＧｉｇネットワークにおいて、コーディネータ通信装置であるＮＧ６０＿ＷｉＧｉｇのＰＣＰ／ＡＰ（以下、ＮＧ６０＿ＰＣＰ／ＡＰと記載）は、下位互換性により、同じかまたは異なるＰＣＰ／ＡＰクラスタ内の隣接するレガシＷｉＧｉｇのＰＣＰ／ＡＰ（以下、レガシＰＣＰ／ＡＰと記載）と共存できる。
【００１０】
一方で、レガシＰＣＰ／ＡＰは、ＮＧ６０＿ＷｉＧｉｇのＥＳＥ（以下、ＮＧ６０＿ＥＳＥと記載）がレガシＷｉＧｉｇのＥＳＥ（以下、レガシＥＳＥと記載）とは異なるフォーマットを有するため、ＮＧ６０＿ＰＣＰ／ＡＰによって送信されるＮＧ６０＿ＥＳＥの復号が困難である。ＮＧ６０＿ＥＳＥの復号化が困難であるため、レガシＰＣＰ／ＡＰは、ＮＧ６０＿ＥＳＥに含まれるスケジューリング情報を得ることが困難である。そのため、レガシＰＣＰ／ＡＰは、自身のチャネル時間割当てを再スケジューリングしたり、任意の他の適切な動作を実行したりすることが困難である。
【００１１】
そこで、本開示の一態様は、レガシＷｉＧｉｇの通信装置とＮＧ６０＿ＷｉＧｉｇの通信装置が共存する環境において、チャネル時間割当てを再スケジューリングしたり、任意の他の適切な動作を実行したりするための、ＥＳＥ（拡張スケジューリング要素）を生成する通信方法及び通信装置を提供する。
【００１２】
本開示の通信方法は、少なくとも１つの第１通信装置が用いる第１スケジューリング要素と、少なくとも１つの第２通信装置が用いる第２スケジューリング要素と、を生成し、前記第１スケジューリング要素及び前記第２スケジューリング要素を、少なくとも１つの第１通信装置及び少なくとも１つの第２通信装置に送信し、第２スケジューリング要素は、少なくとも１つの第２通信装置に割り当てる時間−周波数リソースを示す少なくとも１つの第２割当を含み、第１スケジューリング要素は、少なくとも１つの第２割当の複製である少なくとも１つの第１仮想割当と、少なくとも１つの第１通信装置に割り当てる時間−周波数リソースを示す少なくとも１つの第１割当と、を含み、少なくとも１つの第１通信装置は、第１周波数帯を用いた第１通信方式によって通信し、第２通信装置は、第１通信方式または第１周波数帯を含む第２周波数帯を用いた第２通信方式によって通信する、コーディネータ通信装置の通信方法である。
【００１３】
本開示の通信方法は、コーディネータ通信装置から送信された、少なくとも１つの第１通信装置が用いる第１スケジューリング要素と、少なくとも１つの第２通信装置が用いる第２スケジューリング要素と、を含むビーコンを受信し、第２スケジューリング要素に含まれる第２割当の複製である第１仮想割当を生成し、第１仮想割当を第２スケジューリング要素に追加し、第１仮想割当が追加された第２スケジューリング要素及び第１スケジューリング要素を、少なくとも１つの第１通信装置及び自通信装置以外の第２通信装置に対して、送信し、第１スケジューリング要素は、少なくとも１つの第１通信装置に割り当てる時間−周波数リソースを示す第１割当を含み、第２スケジューリング要素は、少なくとも１つの第２通信装置に割り当てる時間−周波数リソースを示す第２割当を含み、少なくとも１つの第１通信装置は、第１周波数帯を用いた第１通信方式によって通信し、少なくとも１つの第２通信装置は、第１通信方式または第１周波数帯を含む第２周波数帯を用いた第２通信方式によって通信し、コーディネータ通信装置は、第１通信装置及び第２通信装置に対して、時間−周波数リソースを割り当てる、第２通信装置の通信方法である。
【００１４】
なお、これらの包括的または具体的な側面は、システム、方法、および、コンピュータプログラムで実現されてもよく、システム、装置、方法、およびコンピュータプログラムの任意な組み合わせで実現されてもよい。
【００１５】
本開示によれば、ＮＧ６０＿ＥＳＥに含まれるスケジューリング情報を複製してレガシＥＳＥに含ませることにより、レガシＷｉＧｉｇの通信装置とＮＧ６０＿ＷｉＧｉｇの通信装置が共存する環境において、チャネル時間割当てを再スケジューリングしたり、任意の他の適切な動作を実行したりするための、ＥＳＥ（拡張スケジューリング要素）を生成することができる。
【図面の簡単な説明】
【００１６】
【図１】レガシＷｉＧｉｇによるＰＣＰ／ＡＰクラスタリングの一例を示す図
【図２Ａ】図１に示すＰＣＰ／ＡＰクラスタリングにおける動作の一例を示す図
【図２Ｂ】ＤＭＧビーコンの例を示す図
【図３】レガシＷｉＧｉｇによるＥＳＥのフォーマットを示す図
【図４】参考文献１に記載のＮＧ６０＿ＥＳＥのフォーマットを示す図
【図５】本開示の実施の形態におけるＰＣＰ／ＡＰクラスタリングの一例を示す図
【図６】本開示の実施の形態におけるＮＧ６０＿ＥＳＥおよびレガシＥＳＥによる割当ての第１の例を示す図
【図７Ａ】本開示の実施の形態におけるＮＧ６０＿ＥＳＥおよびレガシＥＳＥによる割当ての第２の例を示す図
【図７Ｂ】図７Ａに示す第２の例を別の形式で示す図
【図８】本開示の実施の形態におけるＮＧ６０＿ＥＳＥのフォーマットの一例を示す図
【図９】本開示の実施の形態におけるＮＧ６０＿ＥＳＥおよびレガシＥＳＥによる割当ての第３の例を示す図
【図１０】本開示の実施の形態におけるＮＧ６０＿ＰＣＰ／ＡＰによるＥＳＥの送信処理を示すフロー図
【図１１】本開示の実施の形態におけるＮＧ６０＿ＳＴＡによるＥＳＥの送信処理を示すフロー図
【図１２】本開示の実施の形態に係るＮＧ６０＿ＰＣＰ／ＡＰの構成の一例を示すブロック図
【図１３】本開示の実施の形態に係るＮＧ６０＿ＳＴＡの構成の一例を示すブロック図
【発明を実施するための形態】
【００１７】
（本開示に至る経緯）
まず、本開示に至る経緯について説明する。本開示は、レガシＷｉＧｉｇの通信装置とＮＧ６０＿ＷｉＧｉｇの通信装置が共存する環境において、ＥＳＥ（拡張スケジューリング要素）を生成する通信方法及び非レガシ通信端末に関する。
【００１８】
図１は、レガシＷｉＧｉｇによるＰＣＰ／ＡＰクラスタリングの一例を示す図である。ＰＣＰ／ＡＰクラスタ１００は、同じチャネルにおいて動作するクラスタリングに対応するＰＣＰ／ＡＰ１０２、１０４、１０６を有する。図１において、ＰＣＰ／ＡＰ１０２は、Ｓ−ＰＣＰ／Ｓ−ＡＰ（同期ＰＣＰ／同期ＡＰ）１０２であり、ＰＣＰ／ＡＰ１０４、１０６は、メンバＰＣＰ／ＡＰ１０４、１０６である。また、ＰＣＰ／ＡＰクラスタ１００は、各ＰＣＰ／ＡＰに関連付けられるＳＴＡ（図示せず）を有する。
【００１９】
図２Ａは、図１に示すＰＣＰ／ＡＰクラスタリングにおける、各ＰＣＰ／ＡＰの動作の一例を示す図である。ＰＣＰ／ＡＰ１０２、１０４、１０６は、時分割方式を用いてＤＭＧビーコンを送信する。図２Ｂは、ＤＭＧビーコンフレームの構成例を示す図である。ＤＭＧビーコン１４００は、１つのＭＡＣヘッダ１４１０、少なくとも１つのｎｏｎ−ＩＥ（非情報要素）１４１１、および、少なくとも１つのＩＥ（情報要素）１４１２、ＦＣＳ（FCS: frame check sequence）１４１３を含む。ＩＥＥＥ８０２．１１ａｄ規格では複数種別のＩＥが定義されているが、いずれのＩＥも、要素ＩＤ１４０２、長さ１４０４、ボディ１４０６を含む。ＩＥ種別の一つが、ＥＳＥ（拡張スケジュール要素）である。ＤＭＧビーコンは、少なくとも１つのＥＳＥを含む。ＥＳＥは、チャネル時間割当て（channel time allocation）に関するスケジューリング情報を含む。
【００２０】
なお、図２Ａにおいて、Ｓ−ＰＣＰ／Ｓ−ＡＰ１０２は、ビーコン送信間隔（ＢＴＩ）２０２から、Ｓ−ＰＣＰ／Ｓ−ＡＰ１０４により送信されるＢＴＩ２０４までの間に、スケジューリングを実施し、メンバＰＣＰ／ＡＰ１０４は、ＢＴＩ２０４から、メンバＰＣＰ／ＡＰ１０６により送信されるＢＴＩ２０６までの間に、スケジューリングを実施する。
【００２１】
Ｓ−ＰＣＰ／Ｓ−ＡＰ１０２は、ビーコン間隔２２０におけるＢＴＩ（ビーコン送信間隔）２０２期間中にＤＭＧビーコンを送信する。メンバＰＣＰ／ＡＰ１０４、１０６は、Ｓ−ＰＣＰ／Ｓ−ＡＰ１０２によってＢＴＩ２０２期間中に送信されるＤＭＧビーコンを、Ｒｘ（受信間隔）２１２期間中に受信する（待ち受け状態）。
【００２２】
メンバＰＣＰ／ＡＰ１０４は、Ｒｘ２１２から所定の時間間隔（「Cluster Time Offset（ｎ＝２）」と表記されている）の後に設けられたＢＴＩ２０４期間中に、ＤＭＧビーコンを送信する。ＰＣＰ／ＡＰ１０６は、Ｒｘ２１２から所定の時間間隔（「Cluster Time Offset（ｎ＝３）」と表記されている）の後に設けられたＢＴＩ２０６期間中に、ＤＭＧビーコンを送信する。 
【００２３】
図２Ａに示すように、ＰＣＰ／ＡＰクラスタリングでは、ＰＣＰ／ＡＰ１０２から送信されるＤＭＧビーコンの開始時点から、異なるオフセットを各ＰＣＰ／ＡＰに割り当てることによって、各ＰＣＰ／ＡＰは、割り当てられるオフセットに基づいて、自身のＤＭＧビーコンの送信を開始することができる。
【００２４】
メンバＰＣＰ／ＡＰ１０４、１０６は、Ｓ−ＰＣＰ／Ｓ−ＡＰ１０２からのＤＭＧビーコンを直接受信できるので、Ｓ−ＰＣＰ／Ｓ−ＡＰ１０２からのＥＳＥを受信できる。
【００２５】
また、メンバＰＣＰ／ＡＰ（例えば、メンバＰＣＰ／ＡＰ１０６）は、別のメンバＰＣＰ／ＡＰ（例えば、メンバＰＣＰ／ＡＰ１０４）から送信されるＤＭＧビーコンを直接受信することは困難であるが、自身に関連付けられるＳＴＡを通じてＥＳＥを受信できる。具体的には、メンバＰＣＰ／ＡＰ１０６に関連付けられるＳＴＡは、メンバＰＣＰ／ＡＰ１０４からＥＳＥを含むＤＭＧビーコンを受信し、受信したＥＳＥを含む１つまたは複数のフレームをメンバＰＣＰ／ＡＰ１０６に送信する。
【００２６】
さらに、ＰＣＰ／ＡＰクラスタ１００に属するＰＣＰ／ＡＰは、ＰＣＰ／ＡＰクラスタ１００に属さないクラスタリング対応ＰＣＰ／ＡＰからのＥＳＥを直接、または、自身に関連付けられるＳＴＡを通じて受信する。ＰＣＰ／ＡＰは、別のクラスタリング対応ＰＣＰ／ＡＰからＥＳＥを受信し、受信したＥＳＥに示される送信との干渉を抑制するための試みとして、ビーコン間隔における自身の割当の再スケジューリング、ＢＴＩの変更、クラスタ時間オフセット（Cluster Time Offset）の変更、または、他の適切な動作を行うことができる。
【００２７】
ＷｉＧｉｇ技術の一般的な用途は、有線デジタルインタフェースにおけるケーブルに置き換わることである。例えば、ＷｉＧｉｇ技術を使用して、スマートフォンやタブレットの間の初期同期のための無線ＵＳＢ（ユニバーサルシリアルバス）リンクや、映像ストリーミングのための無線ＨＤＭＩ（High-Definition Multimedia Interface：高詳細度マルチメディアインタフェース）（登録商標）リンクを実施することができる。最新の有線デジタルインタフェース（例：ＵＳＢ ３．５、ＨＤＭＩ １．３）では、最大で数十Ｇｂｐｓのデータ速度が可能であり、したがってこれらに匹敵するようにＷｉＧｉｇ技術も進化させる必要がある。
【００２８】
最大で数十ＧｂｐｓのＰＨＹデータ速度を達成するための技術として、ＮＧ６０（次世代６０ＧＨｚ）ＷｉＧｉｇ（以下、ＮＧ６０＿ＷｉＧｉｇと記載）という技術が開発されている。
【００２９】
ここで、レガシＷｉＧｉｇによるＥＳＥ（つまり、レガシＥＳＥ）と、従来技術によるＮＧ６０＿ＥＳＥとの間には、フォーマットに違いがある。まずは、レガシＥＳＥのフォーマットについて説明する。
【００３０】
図３は、レガシＷｉＧｉｇによるＥＳＥ（つまり、レガシＥＳＥ）のフォーマットを示す図である。レガシＥＳＥのフォーマットは、要素ＩＤフィールド３０２と、長さフィールド３０４と、複数の割当てフィールド３０６とを有する。
【００３１】
要素ＩＤフィールド３０２は、レガシＥＳＥを一意に識別する。長さフィールド３０４は、複数の割当てフィールド３０６におけるオクテットの数を指定する。
【００３２】
割当てフィールド３０６は、チャネル時間割当て（channel time allocation）に関するスケジューリング情報を示すフィールドである。割当てフィールド３０６は、割当て制御フィールド３１２、ＢＦ（ビームフォーミング）制御フィールド３１４、ソースＡＩＤ（アソシエーション識別子）フィールド３１６、デスティネーションＡＩＤフィールド３１８、割当て開始フィールド３２０、割当てブロック持続時間フィールド３２２、ブロック数フィールド３２６、および割当てブロック期間フィールド３２８を有する。
【００３３】
割当て制御フィールド３１２は、割当てＩＤフィールド３３２、割当てタイプフィールド３３４、擬似静的フィールド３３６、切捨て可能（Truncatable）フィールド３３８、拡張可能（Extendable）フィールド３４０などを有する。
【００３４】
割当てタイプフィールド３３４は、割当て時のチャネルアクセスメカニズムがＣＢＡＰ（コンテンションベースアクセス期間）またはＳＰ（サービス期間）のいずれかであるかを示す。
【００３５】
ソースＡＩＤフィールド３１６は、ＳＰまたはＣＢＡＰ割当て時にチャネルアクセスを開始するＳＴＡを指定する。または、ソースＡＩＤフィールド３１６は、ＣＢＡＰ割当ての場合、ＣＢＡＰ割当て時にすべてのＳＴＡが送信を許可されるならば、ブロードキャストＡＩＤに設定される。
【００３６】
デスティネーションＡＩＤフィールド３１８は、割当て時にソースＳＴＡと通信することが予測されるＳＴＡを指定する。または、デスティネーションＡＩＤフィールド３１８は、割当て時にすべてのＳＴＡがソースＳＴＡと通信することが予測される場合、ブロードキャストＡＩＤに設定される。
【００３７】
割当てＩＤフィールド３３２は、０以外の値に設定されているときには、ソースＡＩＤからデスティネーションＡＩＤへの通信時間割当て（airtime allocation）を識別する。割当てＩＤフィールド３３２は、ブロードキャストソースＡＩＤおよびブロードキャストデスティネーションＡＩＤを用いるＣＢＡＰ割当ての時には、０に設定される。
【００３８】
ブロードキャストソースＡＩＤおよびブロードキャストデスティネーションＡＩＤを用いるＣＢＡＰ割当ての場合を除き、タプル（ソースＡＩＤ、デスティネーションＡＩＤ、割当てＩＤ）は、割当てを一意に識別する。
【００３９】
擬似静的フィールド３３６は、その割当てが擬似静的（semi-static）であるかを示す。擬似静的割当ては、擬似静的割当てを含む最後に受信されたＥＳＥに続くいくつかのビーコン間隔において、同じ時間オフセットにおいて同じ持続時間で反復される。切捨て可能フィールド３３８および拡張可能フィールド３４０は、ソースＳＴＡおよびデスティネーションＳＴＡがそれぞれＳＰ（サービス期間）の切捨ておよびＳＰの拡張を要求できるかを示す。
【００４０】
割当て開始フィールド３２０は、ＳＰまたはＣＢＡＰが開始するタイミングを示す。割当てブロック持続時間フィールド３２２は、ＳＰの割当てまたはＣＢＡＰの割当てが行われ、かつビーコン間隔の境界を超えない時間ブロックの持続時間を示す。
【００４１】
ブロック数フィールド３２６は、割当てを構成している時間ブロックの数を含む。割当てブロック期間フィールド３２８は、同じ割当てに属する２つの連続する時間ブロックの先頭の間の時間を含む。割当て開始フィールド３２０、割当てブロック持続時間フィールド３２２、ブロック数フィールド３２６、および割当てブロック期間フィールド３２８は、協働して時間領域における割当ての位置を指定する。
【００４２】
次に、従来技術によるＮＧ６０＿ＥＳＥのフォーマットについて説明する。
【００４３】
図４は、参考文献１に記載のＮＧ６０＿ＥＳＥのフォーマットを示す図である。ＮＧ６０＿ＥＳＥのフォーマットは、要素ＩＤフィールド４０２と、長さフィールド４０４と、複数の割当てフィールド４０６とを有する（参考文献１：米国特許出願第２０１４／０１７７５４３号明細書）。
【００４４】
要素ＩＤフィールド４０２は、ＮＧ６０＿ＥＳＥを一意に識別する。長さフィールド４０４は、複数の割当てフィールド４０６におけるオクテットの数を指定する。つまり、要素ＩＤフィールド４０２、長さフィールド４０４は、図３に示した要素ＩＤフィールド３０２、長さフィールド３０４と同様である。
【００４５】
割当てフィールド４０６は、チャネル時間割当て（channel time allocation）に関するスケジューリング情報を示すフィールドである。割当てフィールド４０６は、帯域幅パラメータフィールド４１２と情報フィールド４１４とを有する。帯域幅パラメータフィールド４１２は、それぞれの割当てのチャネル帯域幅を示す。情報フィールド４１４は、図３に示したレガシＥＳＥ内の割当てフィールド３０６に含めるように指定されている情報もしくはデータまたはその両方を含む。
【００４６】
つまり、図４に示すＮＧ６０＿ＥＳＥのフォーマットは、帯域幅パラメータフィールド４１２を有する点で、図３に示したレガシＥＳＥのフォーマットと異なる。
【００４７】
図３、図４に示すように、ＮＧ６０＿ＥＳＥのフォーマットは、レガシＥＳＥのフォーマットと異なる。このため、レガシＰＣＰ／ＡＰは、ＮＧ６０＿ＥＳＥを復号できず、ＮＧ６０＿ＥＳＥに含まれる割当てを認識することは困難である。したがって、レガシＰＣＰ／ＡＰは、自身のチャネル時間割当てを再スケジューリングしたり、任意の他の適切な動作を実行したりすることは困難である。
【００４８】
このような事情に鑑み、レガシＥＳＥとＮＧ６０＿ＥＳＥのフォーマットの違いに着目し、本開示に至った。
【００４９】
以下、本開示の実施の形態について、図面を参照して詳細に説明する。なお、以下に説明する各実施の形態は一例であり、本開示はこれらの実施の形態により限定されるものではない。また、以下の説明において、本明細書に組み込まれている公知の機能および構造については、説明を明瞭かつ簡潔にするため詳しい記述を省いた。
【００５０】
（実施の形態）
図５は、本開示の実施の形態におけるＰＣＰ／ＡＰクラスタリングの一例を示す図である。ＰＣＰ／ＡＰクラスタ５００は、クラスタリング対応ＮＧ６０＿ＰＣＰ／ＡＰ５０２、５０４と、クラスタリング対応レガシＰＣＰ／ＡＰ５０６とを有する。図５において、ＮＧ６０＿ＰＣＰ／ＡＰ５０２は、Ｓ−ＰＣＰ／Ｓ−ＡＰ（同期ＰＣＰ／同期ＡＰ）であり、ＮＧ６０＿ＰＣＰ／ＡＰ５０４、レガシＰＣＰ／ＡＰ５０６は、メンバＰＣＰ／ＡＰである。
【００５１】
また、ＰＣＰ／ＡＰクラスタ５００は、ＮＧ６０＿ＰＣＰ／ＡＰ５０４に関連付けられるＳＴＡ５１２ａ、５１２ｂ、５１４ａ、５１４ｂを有する。ＳＴＡ５１２ａ、５１２ｂ、５１４ａ、５１４ｂは、ＮＧ６０＿ＷｉＧｉｇのＳＴＡ（以下、ＮＧ６０＿ＳＴＡ）、レガシＷｉＧｉｇのＳＴＡ（以下、レガシＳＴＡ）のいずれかである。
【００５２】
レガシＰＣＰ／ＡＰ５０６は、レガシＥＳＥを含むビーコンを送信する。ＮＧ６０＿ＰＣＰ／ＡＰ５０２、５０４は、ＮＧ６０＿ＥＳＥおよびレガシＥＳＥの両方を含むＤＭＧビーコンを送信する。
【００５３】
レガシＥＳＥは、レガシＳＴＡに関連する送信のための割当てを指定する。つまり、レガシＥＳＥにおける割当ての場合、ソースＡＩＤおよびデスティネーションＡＩＤの少なくとも一方がレガシＳＴＡを指定する。換言すれば、ソースＡＩＤおよびデスティネーションＡＩＤの少なくとも他方は、ＮＧ６０＿ＳＴＡを指定してもよい。これは、ＮＧ６０＿ＳＴＡが下位互換性を有していることに起因する。
【００５４】
ＮＧ６０＿ＥＳＥは、ＮＧ６０＿ＳＴＡに関連する送信のための割当てを定義する。つまり、ＮＧ６０＿ＥＳＥにおける割当ての場合、ソースＡＩＤおよびデスティネーションＡＩＤの両方がＮＧ６０＿ＳＴＡを指定する。
【００５５】
ＤＭＧビーコンを送信するＮＧ６０＿ＰＣＰ／ＡＰ５０２、５０４にレガシＳＴＡが関連付けられていない場合、ソースＡＩＤおよびデスティネーションＡＩＤの少なくとも一方がブロードキャストＡＩＤである割当ては、ＮＧ６０＿ＥＳＥにおいて定義されてもよい。そうでない場合、このような割当ては、レガシＥＳＥにおいて指定されてもよい。
【００５６】
レガシＥＳＥに定義される割当ては、２．１６ＧＨｚの１つのチャネル帯域幅での送信に対応する。一方で、ＮＧ６０＿ＥＳＥに指定される割当ては、可変チャネル帯域幅（例えば、２．１６ＧＨｚ、４．３２ＧＨｚ、６．４８ＧＨｚ、または８．６４ＧＨｚ）での送信に対応する。
【００５７】
以上説明したように、ＮＧ６０＿ＳＴＡに関連する送信のための割当ては、レガシＥＳＥとＮＧ６０＿ＥＳＥの両方に含まれ得る。このため、ＮＧ６０＿ＰＣＰ／ＡＰに関連付けられるＮＧ６０＿ＳＴＡは、通常、自身に関連する送信のための割当てを認識するために、ＮＧ６０＿ＥＳＥおよびレガシＥＳＥを含むＤＭＧビーコンをＮＧ６０＿ＰＣＰ／ＡＰから受信した後、ＮＧ６０＿ＥＳＥおよびレガシＥＳＥの両方を解析する必要がある。本開示に係るＮＧ６０＿ＰＣＰ／ＡＰは、ＮＧ６０＿ＳＴＡがＮＧ６０＿ＥＳＥを解析することによって自身に関連する送信のための割当てを認識することができる、ＮＧ６０＿ＥＳＥを送信する。
【００５８】
具体的には、ＮＧ６０＿ＰＣＰ／ＡＰは、ＮＧ６０＿ＳＴＡおよびレガシＳＴＡの両方に関連する送信用であるレガシＥＳＥにおける割当ての一部の複製を生成し、ＮＧ６０＿ＥＳＥの中にその複製を含ませる。
【００５９】
ここで、本実施の形態におけるＮＧ６０＿ＥＳＥとレガシＥＳＥにおける割当てについて図面を用いて説明する。図６は、本開示の実施の形態におけるＮＧ６０＿ＥＳＥ６２２およびレガシＥＳＥ６２４の割当ての第１の例を示す図である。図６は、ＮＧ６０＿ＥＳＥに含まれる割当てフィールドが示すチャネル時間割当て（channel time allocation）に関するスケジューリング情報（つまり、時間−周波数リソース）と、レガシＥＳＥに含まれる割当てフィールドが示す時間−周波数リソースを示している。図６において、ＮＧ６０＿ＥＳＥ６２２の割当てにおける縦軸と横軸は、レガシＥＳＥ６２４の割当てにおける縦軸と横軸と、それぞれ、同一の周波数、同一の時間を示す。
【００６０】
図６のレガシＥＳＥ６２４における割当ては、真の割当てである割当て６１６、６１８を有する。割当て６１６は、レガシＷｉＧｉｇの通信機器（例えば、レガシＳＴＡ）に関する情報を含み、割当て６１８は、ＮＧ６０＿ＷｉＧｉｇの通信機器（例えば、ＮＧ６０＿ＳＴＡ）に関する情報も含む。
【００６１】
図６のＮＧ６０＿ＥＳＥ６２２における割当ては、割当て６０２、６０４、６０６、６０８を有する。割当て６０２、６０４、６０６は、真の割当てであり、割当て６０８は、仮想割当てである。真の割当ては、ＮＧ６０＿ＥＳＥを受信したＮＧ６０＿ＳＴＡのうちいずれかが、実際の通信で使用する時間−周波数リソースを示す。仮想割当ては、ＮＧ６０＿ＥＳＥを受信したＮＧ６０＿ＳＴＡが、実際の通信で使用しないものの、他のデバイス（例えば、レガシＳＴＡ）が使用している時間−周波数リソースを示す。
【００６２】
ＮＧ６０＿ＷｉＧｉｇは可変チャネル帯域幅での通信に対応するため、ＮＧ６０＿ＥＳＥ６２２における割当て６０２は、割当て６０４、６０６とは異なるチャネル帯域幅を有する。一方、レガシＥＳＥ６２４における割当て６１６および割当て６１８は、２．１６ＧＨｚのチャネル帯域幅を有する。
【００６３】
仮想割当て６０８は、レガシＥＳＥ６２４における割当てに含まれる割当て６１８を使用して複製されたものである。
【００６４】
図６に示すＮＧ６０＿ＥＳＥは、ＮＧ６０＿ＳＴＡに関連する送信のためのすべての割当てを含む。結果として、ＮＧ６０＿ＰＣＰ／ＡＰ５０２または５０４に関連付けられるＮＧ６０＿ＳＴＡは、ＮＧ６０＿ＥＳＥおよびレガシＥＳＥを含むＤＭＧビーコンをＮＧ６０＿ＰＣＰ／ＡＰ５０２または５０４から受信した後、ＮＧ６０＿ＥＳＥおよびレガシＥＳＥの両方ではなくＮＧ６０＿ＥＳＥを解析すればよい。したがって、ＮＧ６０＿ＳＴＡは、電力消費量を低減することができる。
【００６５】
また、本開示では、ＢＳＳのパフォーマンスを最大にするため、ＳＰＳＨ（空間多重）メカニズムを採用することができる。ＳＰＳＨメカニズムによると、同じ空間的近傍における異なるＳＴＡに属する２つ以上のＳＰ割当てを、同じチャネル上で同時にスケジューリングすることができる。この場合、ＳＰＳＨ下の２つ以上のＳＰ割当ては、時間領域において部分的または完全に重なっていてもよい。
【００６６】
例えば、図５および図６に示したように、ＮＧ６０＿ＥＳＥ６２２における割当て６０４および６０６は、それぞれ、ＳＴＡ５１２ａとＳＴＡ５１２ｂ間の通信に対する割当て、および、ＳＴＡ５１４ａとＳＴＡ５１４ｂ間の通信に対する割当てである。ＳＰＳＨ下の割当てにおいて、割当て６０４および６０６は、時間領域において部分的に重なっている。
【００６７】
上記の説明では、ＮＧ６０＿ＰＣＰ／ＡＰが、レガシＥＳＥにおける真の割当てに対して、ＮＧ６０＿ＥＳＥの中にも複製の割当て（仮想割当て）を作成する構成を説明した。次に、ＮＧ６０＿ＰＣＰ／ＡＰが、ＮＧ６０＿ＥＳＥにおける真の割当てに対して、レガシＥＳＥの中にも複製の割当て（仮想割当て）を作成する構成を説明する。
【００６８】
図７Ａは、本開示の実施の形態におけるＮＧ６０＿ＥＳＥおよびレガシＥＳＥによる割当ての第２の例を示す図である。図７Ｂは、図７Ａに示す第２の例を別の形式で示す図である。図７Ａ、図７Ｂにおいて、ＮＧ６０＿ＥＳＥ７２２の割当てにおける縦軸と横軸は、レガシＥＳＥ７２４の割当てにおける縦軸と横軸と、それぞれ、同一の周波数、同一の時間を示す。また、ＮＧ６０＿ＥＳＥ７２２における割当ては、図６で示したＮＧ６０＿ＥＳＥ６２２における割当てと同様である。
【００６９】
レガシＥＳＥ７２４における仮想割当て７１２は、ＮＧ６０＿ＥＳＥ７２２における１つの真の割当て７０２の仮想割当てであり、仮想割当て７１４は、ＳＰＳＨ下の２つの真の割当て７０４および７０６の仮想割当てである。
【００７０】
なお、仮想割当て７１２は、真の割当て７０２と異なる周波数帯域幅を示す。これは、ＮＧ６０＿ＥＳＥが帯域幅パラメータフィールドを有する一方で、レガシＥＳＥが帯域幅パラメータフィールドを有さないことに起因する。しかしながら、レガシＳＴＡまたはレガシＰＣＰ／ＡＰは、ＮＧ６０＿ＥＳＥにおける真の割当て７０２の時間幅を認識できれば、干渉を抑制するためのチャネル時間割当てを再スケジューリングしたり、任意の他の適切な動作を実行したりできる。そのため、レガシＥＳＥにおける仮想割当て７１２は、レガシＥＳＥを復号した際に、真の割当て７０２の時間幅を認識できるように、帯域幅パラメータフィールドを用いずに割当て７０２の時間幅を示している。
【００７１】
図７Ａ、図７Ｂに示すレガシＥＳＥの構成によると、ＮＧ６０＿ＥＳＥを復号することが困難であるレガシＳＴＡまたはレガシＰＣＰ／ＡＰが、レガシＥＳＥを復号することによって、ＮＧ６０＿ＥＳＥにおける真の割当てに対応する仮想割当てを認識できる。これによって、レガシＳＴＡまたはレガシＰＣＰ／ＡＰは、チャネル時間割当てを再スケジューリングしたり、任意の他の適切な動作を実行したりできる。
【００７２】
また、図７Ａ、図７Ｂに示したレガシＥＳＥの構成によると、複数の真の割当て（例：割当て７０４および割当て７０６）から１つの仮想割当て（例：仮想割当て７１４）を作成することによって、１つの真の割当てから仮想割当てを作成する場合と比較して、発生するシステムオーバーヘッドを小さくできる。
【００７３】
レガシＥＳＥにおける仮想割当て（例：仮想割当て７１４）は、ＮＧ６０＿ＥＳＥにおける対応する真の割当て（例：割当て７０４および割当て７０６）と時間領域において完全に重なる。すなわち、レガシＥＳＥにおける仮想割当て７１４は、ＮＧ６０＿ＥＳＥにおける対応する真の割当て７０４および７０６と、割当て開始タイミングが同じであることに加えて、割当て全体の持続時間も少なくとも同じである。
【００７４】
なお、ＮＧ６０＿ＥＳＥにおける１つの真の割当て（例：割当て７０２）からレガシＥＳＥにおける仮想割当て（例：仮想割当て７１２）を作成する方法は、割当てフィールド内の割当てのタイミングに関連する情報フィールド（つまり、割当て開始、割当てブロック持続時間、ブロック数、および割当てブロック期間）が、仮想割当て７１２と、対応する真の割当て７０２とで同じであるように行われる。これにより、仮想割当て７１２が対応する真の割当て７０２と時間領域において完全に重なる。
【００７５】
また、ＮＧ６０＿ＥＳＥにおける複数の真の割当て（例：割当て７０４および７０６）からレガシＥＳＥにおける仮想割当て（例：仮想割当て７１４）を作成する場合、割当てのタイミングに関連する仮想割当て７１４の情報フィールド（つまり、割当て開始、割当てブロック持続時間、ブロック数、および割当てブロック期間）は、対応する真の割当て７０４および７０６の情報フィールドから、以下に示す第１−３の方法等により、適切に適合化される。仮想割当て７１４の割当て開始フィールドは、対応する複数の真の割当てのうち最も早く開始する割当て（例：割当て７０４）と同じに設定される。
【００７６】
第１の方法としては、仮想割当て７１４の割当てブロック持続時間フィールド、ブロック数フィールド、および割当てブロック期間フィールドのうちの２つが、真の割当て７０４と同じに設定される。残りのフィールドは、対応する真の割当て７０４および７０６の割当て全体の持続時間が完全にカバーされるように、適切に設定される。
【００７７】
第２の方法としては、仮想割当て７１４の割当てブロック持続時間フィールド、ブロック数フィールド、および割当てブロック期間フィールドのうちのいずれか１つが、真の割当て７０４と同じに設定される。残りの２つのフィールドは、対応する真の割当て７０４および７０６の割当て全体の持続時間が完全にカバーされるように、適切に設定される。
【００７８】
第３の方法としては、仮想割当て７１４の割当てブロック持続時間フィールドと、ブロック数フィールドと、割当てブロック期間フィールドのすべてを、対応する真の割当て７０４および７０６の割当て全体の持続時間が完全にカバーされるように、適切に設定する。
【００７９】
ＮＧ６０＿ＥＳＥにおける１つまたは複数の真の割当てからレガシＥＳＥにおける仮想割当てを作成する際、割当ての識別情報に関連する仮想割当ての情報フィールド（すなわちソースＡＩＤおよびデスティネーションＡＩＤ）の一方または両方を、仮想割当てを一意に示す特定の値に設定してもよい。この場合には、ＮＧ６０＿ＳＴＡまたはＮＧ６０＿ＰＣＰ／ＡＰは、受信したレガシＥＳＥにおける仮想割当てを容易に識別できる。
【００８０】
なお、ＮＧ６０＿ＰＣＰ／ＡＰは、ＮＧ６０＿ＥＳＥにおける真の割当てそれぞれに対してレガシＥＳＥにおける仮想割当てを作成しなくてもよい。例えば、ＮＧ６０＿ＥＳＥにおける擬似静的ではない真の割当てに対して、ＮＧ６０＿ＰＣＰ／ＡＰは、レガシＥＳＥにおける対応する仮想割当ての作成を無効にしてもよい。真の割当てが疑似静的であるか否かは、割当てフィールドに含まれる擬似静的フィールドによって判断される。この方法により、余分なシステムオーバーヘッドの発生を抑制できる。
【００８１】
また、ＮＧ６０＿ＰＣＰ／ＡＰは、隣接するＢＳＳにレガシＰＣＰ／ＡＰおよびレガシＳＴＡが含まれていないことを認識している場合、レガシＥＳＥにおける仮想割当ての作成を完全に無効にしてもよい。この方法により、余分なシステムオーバーヘッドの発生を抑制できる。
【００８２】
また、図７Ａ、図７Ｂに示すＮＧ６０＿ＥＳＥ７２２における割当ては、レガシＥＳＥ７２４における割当て７１８に対応する仮想割当て７０８を含んでいる。しかしながら、本開示のＮＧ６０＿ＥＳＥにおける割当ては、レガシＥＳＥにおける割当てに対応する仮想割当てを含まなくてもよい。
【００８３】
ここで、本実施の形態におけるＮＧ６０＿ＥＳＥのフォーマットについて説明する。
【００８４】
図８は、本開示の実施の形態におけるＮＧ６０＿ＥＳＥのフォーマットの一例を示す図である。図８に示すＮＧ６０＿ＥＳＥのフォーマットは、要素ＩＤフィールド８０２と、長さフィールド８０４と、複数の割当てフィールド８０６とを有する。割当てフィールド８０６は、帯域幅パラメータフィールド８１２と、仮想割当て指示フィールド８１４と、情報フィールド８１６とを含む。要素ＩＤフィールド８０２、長さフィールド８０４は、図４に示した要素ＩＤフィールド４０２、長さフィールド４０４と同様である。
【００８５】
帯域幅パラメータフィールド８１２は、それぞれの割当てのチャネル帯域幅を示す。仮想割当て指示フィールド８１４は、それぞれの割当てに対して、レガシＥＳＥに仮想割当てが存在するかを示す。情報フィールド８１６は、図３に示したレガシＥＳＥの中の割当てフィールドに含めるように指定されている任意の情報もしくはデータまたはその両方を含む。
【００８６】
仮想割当て指示フィールド８１４は、ＮＧ６０＿ＳＴＡがＮＧ６０＿ＥＳＥとレガシＥＳＥの両方を解析する必要がある場合に、割当てのチャネル帯域幅の識別に用いられる。例えば、ＮＧ６０＿ＳＴＡは、レガシＥＳＥに含まれる割当ての割当てＩＤとＮＧ６０＿ＥＳＥに含まれる割当ての割当てＩＤの一致を確認し、仮想割当て指示フィールド８１４のフラグ（仮想割当ての有無）を確認することによって、チャネル帯域幅を識別できる。これにより、ＮＧ６０＿ＳＴＡは、ＮＧ６０＿ＥＳＥの他のフィールドを解析する必要がない。
【００８７】
本実施の形態において、ＮＧ６０＿ＥＳＥにおける真の割当てに対応する仮想割当てを、レガシＥＳＥに含ませる（カプセル化する）方法として、例えば、次のような方法を採ることができる。
【００８８】
第１の方法においては、ＮＧ６０＿ＥＳＥにおける真の割当てから作成された仮想割当てを、真の割当ても含めてレガシＥＳＥの中にカプセル化する。例えば、図７Ａ、図７Ｂに示したように、レガシＥＳＥは、仮想割当て７１２、７１４を、真の割当て７１６、７１８もとともに含む。
【００８９】
第２の方法においては、ＮＧ６０＿ＥＳＥにおける真の割当てから作成された仮想割当てを、仮想割当て専用のレガシＥＳＥの中にカプセル化する。この第２の方法について、図面を用いて説明する。
【００９０】
図９は、本開示の実施の形態におけるＮＧ６０＿ＥＳＥおよびレガシＥＳＥによる割当ての第３の例を示す図である。図９において、ＮＧ６０＿ＥＳＥ９２２における割当ては、図６で示したＮＧ６０＿ＥＳＥ６２２における割当てと同様である。
【００９１】
また、図９において、割当て９１６、９１８は、真の割当てである。仮想割当て９１２は、ＮＧ６０＿ＥＳＥ９２２における１つの真の割当て９０２の仮想割当てであり、仮想割当て９１４は、２つの真の割当て９０４および９０６の仮想割当てである。
【００９２】
図９に示すように、レガシＥＳＥ９２４は、真の割当て９１６、９１８を含み、一方で、レガシＥＳＥ９２６は、仮想割当て専用のレガシＥＳＥとして、仮想割当て９１２および９１４を含む。
【００９３】
比較すると、第１の方法では、レガシＥＳＥの数が第２の方法よりも少なくなる。しかしながら、第２の方法では、ＮＧ６０＿ＳＴＡにおける受信器の処理が単純になる。これについては後から詳述する。
【００９４】
次に、上記で説明した本実施の形態における、レガシＰＣＰ／ＡＰ、レガシＳＴＡ、ＮＧ６０＿ＰＣＰ／ＡＰ、ＮＧ６０＿ＳＴＡの動作について、それぞれ説明する。
【００９５】
レガシＰＣＰ／ＡＰ（例：５０６）は、ＮＧ６０＿ＥＳＥおよびレガシＥＳＥを含むＤＭＧビーコンをＮＧ６０＿ＰＣＰ／ＡＰ（例：５０４）から直接受信すると、受信したレガシＥＳＥを解析する。受信したレガシＥＳＥにおける仮想割当ては、受信したＮＧ６０＿ＥＳＥにおける、仮想割当てのそれぞれに対応する真の割当てと時間領域において完全に重なっている。そのため、レガシＰＣＰ／ＡＰ５０６は、受信したＮＧ６０＿ＥＳＥおよびレガシＥＳＥが示す送信との干渉を抑制する試みにおいて、自身の割当てを再スケジューリングしたり、または任意の他の適切な動作を実行したりすることができる。
【００９６】
レガシＳＴＡは、ＮＧ６０＿ＥＳＥおよびレガシＥＳＥを含むＤＭＧビーコンを、自身に関連付けられるＮＧ６０＿ＰＣＰ／ＡＰ（例：ＮＧ６０＿ＰＣＰ／ＡＰ５０４）から受信すると、受信したレガシＥＳＥを解析し、タプル（割当てＩＤ、ソースＡＩＤ、デスティネーションＡＩＤ）をチェックすることによって真の割当てを識別する。なお、レガシＳＴＡは、ＮＧ６０＿ＥＳＥのフォーマットはレガシＥＳＥのフォーマットと異なるため、受信したＮＧ６０＿ＥＳＥを復号化しない。
【００９７】
レガシＰＣＰ／ＡＰ（例：レガシＰＣＰ／ＡＰ５０６）に関連付けられるレガシＳＴＡは、ＮＧ６０＿ＥＳＥおよびレガシＥＳＥを含むＤＭＧビーコンをＮＧ６０＿ＰＣＰ／ＡＰ（例：ＮＧ６０＿ＰＣＰ／ＡＰ５０４）から受信すると、受信したレガシＥＳＥを含む１つまたは複数のフレームを単にレガシＰＣＰ／ＡＰ５０６に送信する。受信したレガシＥＳＥにおける仮想割当ては、ＮＧ６０＿ＥＳＥにおける、それぞれに対応する真の割当てと時間領域において完全に重なっているため、レガシＰＣＰ／ＡＰ５０６は、ＮＧ６０＿ＥＳＥおよびレガシＥＳＥが送信との干渉を抑制する試みにおいて、自身の割当てを再スケジューリングしたり、または任意の他の適切な動作を実行したりすることができる。
【００９８】
ＮＧ６０＿ＰＣＰ／ＡＰ（例：ＮＧ６０＿ＰＣＰ／ＡＰ５０２）に関連付けられるレガシＳＴＡは、ＮＧ６０＿ＥＳＥおよびレガシＥＳＥを含むＤＭＧビーコンを別のＮＧ６０＿ＰＣＰ／ＡＰ（例：ＮＧ６０＿ＰＣＰ／ＡＰ５０４）から受信すると、受信したレガシＥＳＥを含む１つまたは複数のフレームを単にＮＧ６０＿ＰＣＰ／ＡＰ５０２に送信する。受信したレガシＥＳＥにおける仮想割当ては、ＮＧ６０＿ＥＳＥにおける、それぞれに対応する真の割当てと時間領域において完全に重なっているため、ＮＧ６０＿ＰＣＰ／ＡＰ５０２は、ＮＧ６０＿ＥＳＥおよびレガシＥＳＥが示す送信との干渉を抑制する試みにおいて、自身の割当てを再スケジューリングしたり、または任意の他の適切な動作を実行したりすることができる。
【００９９】
ＮＧ６０＿ＰＣＰ／ＡＰ（例：ＮＧ６０＿ＰＣＰ／ＡＰ５０２）は、ＮＧ６０＿ＥＳＥおよびレガシＥＳＥを含むＤＭＧビーコンを別のＮＧ６０＿ＰＣＰ／ＡＰ（例：ＮＧ６０＿ＰＣＰ／ＡＰ５０４）から直接受信すると、受信したＮＧ６０＿ＥＳＥおよびレガシＥＳＥを解析する。ＮＧ６０＿ＰＣＰ／ＡＰ５０２は、受信したレガシＥＳＥにおける仮想割当てを識別してそれらを無視する必要がある。そして、ＮＧ６０＿ＰＣＰ／ＡＰ５０２は、受信したＮＧ６０＿ＥＳＥおよびレガシＥＳＥが示す送信との干渉を抑制する試みにおいて、自身の割当てを再スケジューリングしたり、または任意の他の適切な動作を実行したりすることができる。
【０１００】
ＮＧ６０＿ＳＴＡは、ＮＧ６０＿ＥＳＥおよびレガシＥＳＥを含むＤＭＧビーコンを、自身に関連付けられるＮＧ６０＿ＰＣＰ／ＡＰ（例：ＮＧ６０＿ＰＣＰ／ＡＰ５０４）から受信すると、受信したＮＧ６０＿ＥＳＥを解析して真の割当てを識別する。ＮＧ６０＿ＳＴＡは、受信したレガシＥＳＥを解析して真の割当てを識別し、仮想割当てを破棄する必要がある。仮想割当てが仮想割当て専用のレガシＥＳＥの中にカプセル化されている場合、ＮＧ６０＿ＳＴＡは、専用レガシＥＳＥにおける仮想割当てを識別した時点で専用レガシＥＳＥの解析を停止することができる。
【０１０１】
レガシＰＣＰ／ＡＰ（例：レガシＰＣＰ／ＡＰ５０６）に関連付けられるＮＧ６０＿ＳＴＡは、ＮＧ６０＿ＥＳＥおよびレガシＥＳＥを含むＤＭＧビーコンをＮＧ６０＿ＰＣＰ／ＡＰ（例：ＮＧ６０＿ＰＣＰ／ＡＰ５０４）から受信すると、受信したレガシＥＳＥを含む１つまたは複数のフレームをレガシＰＣＰ／ＡＰ５０６に送信できる。あるいは、このようなＮＧ６０＿ＳＴＡは、受信したＮＧ６０＿ＥＳＥを解析し、自身の判断で、仮想割当ての存在しない真の割当てに対応する仮想割当てを、受信したレガシＥＳＥの中に作成し、受信したレガシＥＳＥを含む１つまたは複数のフレームをレガシＰＣＰ／ＡＰ５０６に送信できる。受信したレガシＥＳＥにおける仮想割当ては、ＮＧ６０＿ＥＳＥにおける、それぞれに対応する真の割当てと時間領域において完全に重なっているため、レガシＰＣＰ／ＡＰ５０６は、ＮＧ６０＿ＥＳＥおよびレガシＥＳＥが示す送信との干渉を抑制する試みにおいて、自身の割当てを再スケジューリングしたり、または任意の他の適切な動作を実行したりすることができる。
【０１０２】
ＮＧ６０＿ＰＣＰ／ＡＰ（例：ＮＧ６０＿ＰＣＰ／ＡＰ５０２）に関連付けられるＮＧ６０＿ＳＴＡは、ＮＧ６０＿ＥＳＥおよびレガシＥＳＥを含むＤＭＧビーコンを別のＮＧ６０＿ＰＣＰ／ＡＰ（例：ＮＧ６０＿ＰＣＰ／ＡＰ５０４）から受信すると、受信したＮＧ６０＿ＥＳＥおよびレガシＥＳＥを含む１つまたは複数のフレームをＮＧ６０＿ＰＣＰ／ＡＰ５０２に送信する。ＮＧ６０＿ＰＣＰ／ＡＰ５０２は、受信したレガシＥＳＥにおける仮想割当てを識別してそれらを無視する必要がある。そして、ＮＧ６０＿ＰＣＰ／ＡＰ５０２は、ＮＧ６０＿ＥＳＥおよびレガシＥＳＥが示す送信との干渉を抑制する試みにおいて、自身の割当てを再スケジューリングしたり、または任意の他の適切な動作を実行したりすることができる。
【０１０３】
ＮＧ６０＿ＥＳＥにおける１つの真の割当て（例：割当て７０２）からレガシＥＳＥにおける仮想割当て（例：仮想割当て７１２）を生成する際、割当てのタイミングに関連する情報フィールド（つまり、割当て開始、割当てブロック持続時間、ブロック数、および割当てブロック期間）と、割当ての識別情報（つまり、ソースＡＩＤおよびデスティネーションＡＩＤ）を除く、仮想割当て７１２の他の情報フィールドを、対応する真の割当て７０２と同じに設定することができる。結果として、レガシＰＣＰ／ＡＰまたはＮＧ６０＿ＰＣＰ／ＡＰは、このような情報を利用することで、ＮＧ６０＿ＥＳＥが示す送信との干渉を緩和する試みにおいて、自身の割当てを再スケジューリングする方法、あるいは任意の他の適切な動作を実行する方法について、受信したレガシＥＳＥに基づいて決定を行うことができる。
【０１０４】
ＮＧ６０＿ＥＳＥにおける複数の真の割当て（例：割当て７０４および７０６）からレガシＥＳＥにおける仮想割当て（例：仮想割当て７１４）を生成する際、割当てのタイミングに関連する情報フィールド（すなわち、割当て開始、割当てブロック持続時間、ブロック数、および割当てブロック期間）と、割当ての識別情報（すなわちソースＡＩＤおよびデスティネーションＡＩＤ）を除く、仮想割当て７１４の他の情報フィールドを、対応する複数の真の割当てのうち最も早く開始する割当て（例：割当て７０４）と同じに設定することができる。結果として、レガシＰＣＰ／ＡＰまたはＮＧ６０＿ＰＣＰ／ＡＰは、このような情報を利用することで、ＮＧ６０＿ＥＳＥが示す送信との干渉を抑制する試みにおいて、自身の割当てを再スケジューリングする方法、あるいは任意の他の適切な動作を実行する方法について、受信したレガシＥＳＥに基づいて決定を行うことができる。 
【０１０５】
ここで、本実施の形態に係るＮＧ６０＿ＰＣＰ／ＡＰ、ＮＧ６０＿ＳＴＡの構成および処理について、図面を用いて説明する。
【０１０６】
図１０は、本開示の実施の形態におけるＮＧ６０＿ＰＣＰ／ＡＰによるＥＳＥの送信処理１０００を示すフロー図である。
【０１０７】
ＮＧ６０＿ＰＣＰ／ＡＰによる送信処理１０００は、ステップＳ１００２において開始される。ステップＳ１００４において、ＮＧ６０＿ＰＣＰ／ＡＰ（例：ＮＧ６０＿ＰＣＰ／ＡＰ５０４）は、ＮＧ６０＿ＥＳＥおよびレガシＥＳＥにおいて真の割当てを定義する。具体的には、ＮＧ６０＿ＰＣＰ／ＡＰは、自身に関連付けられるＳＴＡに対して、割り当てる時間−周波数リソースを決定し、決定したリソースを真の割当てとしてＮＧ６０＿ＥＳＥまたはレガシＥＳＥを生成する。
【０１０８】
ステップＳ１００６において、ＮＧ６０＿ＰＣＰ／ＡＰ５０４は、上記で説明した第１−３の方法などの自身の判断で、ＮＧ６０＿ＥＳＥにおける真の割当てに対応する仮想割当てをレガシＥＳＥに作成する。ステップＳ１００８において、ＮＧ６０＿ＰＣＰ／ＡＰ５０４は、レガシＥＳＥおよびＮＧ６０＿ＥＳＥを含むＤＭＧビーコンを送信する。ステップＳ１０１０において、本方法（送信処理１０００）が終了する。
【０１０９】
図１１は、本開示の実施の形態におけるＮＧ６０＿ＳＴＡによるＥＳＥの送信処理１１００を示すフロー図である。
【０１１０】
ＮＧ６０＿ＳＴＡによるスケジューリング情報を伝える送信処理１１００は、ステップＳ１１０２において開始される。ステップＳ１１０４において、レガシＰＣＰ／ＡＰ（例：レガシＰＣＰ／ＡＰ５０６）に関連付けられるＮＧ６０＿ＳＴＡは、ＮＧ６０＿ＥＳＥおよびレガシＥＳＥを含むＤＭＧビーコンをＮＧ６０＿ＰＣＰ／ＡＰ（例：ＮＧ６０＿ＰＣＰ／ＡＰ５０４）から受信する。
【０１１１】
ステップＳ１１０６において、ＮＧ６０＿ＳＴＡは、上記で説明した第１−３の方法などの自身の判断で、受信したＮＧ６０＿ＥＳＥにおける真の割当てに対応する仮想割当てを、受信したレガシＥＳＥに作成する。ステップＳ１１０８において、ＮＧ６０＿ＳＴＡは、受信したレガシＥＳＥを含む１つまたは複数のフレームをレガシＰＣＰ／ＡＰ５０６に送信する。ステップＳ１１１０において、本方法（送信処理１１００）が終了する。
【０１１２】
図１２は、本開示の実施の形態に係るＮＧ６０＿ＰＣＰ／ＡＰの構成の一例を示すブロック図である。
【０１１３】
図１２に示すＮＧ６０＿ＰＣＰ／ＡＰは、コントローラ１２０２と、スケジューラ１２０４と、メッセージプロセッサ１２０６と、メッセージ生成器１２０８と、ＰＨＹプロセッサ１２１０と、複数のアンテナ１２１２とを有する。
【０１１４】
コントローラ１２０２は、ＭＡＣプロトコルコントローラであり、一般的なＭＡＣプロトコル動作を制御する。
【０１１５】
スケジューラ１２０４は、コントローラ１２０２の制御下でチャネル時間割当てをスケジューリングする。
【０１１６】
メッセージ生成器１２０８は、スケジューラ１２０４からスケジューリング情報を受け取って、ＤＭＧビーコンなどの対応する制御メッセージ、データメッセージ、または管理メッセージを生成する。
【０１１７】
ＰＨＹプロセッサ１２１０は、レガシＥＳＥおよびＮＧ６０＿ＥＳＥを含むＤＭＧビーコンなどの対応する制御メッセージ、データメッセージ、または管理メッセージなどの送信データに対して変調等のＰＨＹ処理を行う。複数のアンテナ１２１２は、ＰＨＹ処理を行った送信データを送信する。
【０１１８】
また、アンテナ１２１２は、受信データを受信し、ＰＨＹプロセッサ１２１０は、受信データに対して復調等のＰＨＹ処理を行う。
【０１１９】
メッセージプロセッサ１２０６は、受信したメッセージを解析して、それらをコントローラ１２０２に提供する。受信したメッセージには、ＤＭＧビーコンが含まれる。ＤＭＧビーコンは、ＮＧ６０＿ＥＳＥおよびレガシＥＳＥを含み、レガシＥＳＥは、ＮＧ６０＿ＥＳＥにおける真の割当てに対応する仮想割当てを含む。
【０１２０】
図１２に示すＮＧ６０＿ＰＣＰ／ＡＰは、図１０に示した送信処理１０００を以下のように実行する。
【０１２１】
スケジューラ１２０４は、スケジューリングとして、ＮＧ６０＿ＥＳＥおよびレガシＥＳＥにおいて真の割当てを定義する。具体的には、スケジューラ１２０４は、自身に関連付けられるＳＴＡに対して、割り当てる時間−周波数リソースを決定し、決定したリソースを真の割当てとしてＮＧ６０＿ＥＳＥまたはレガシＥＳＥを生成する。
【０１２２】
メッセージ生成器１２０８は、スケジューラ１２０４から真の割当ての情報（つまり、決定したリソースの情報）を受け取って、ＮＧ６０＿ＥＳＥにおける真の割当てに対応する仮想割当てをレガシＥＳＥ内に作成する。仮想割当てを含むレガシＥＳＥは、ＮＧ６０＿ＥＳＥと共にＤＭＧビーコンに含まれる。
【０１２３】
ＰＨＹプロセッサ１２１０は、レガシＥＳＥおよびＮＧ６０＿ＥＳＥを含むＤＭＧビーコンに対して変調等のＰＨＹ処理を行う。複数のアンテナ１２１２は、ＰＨＹ処理を行った送信データを送信する。
【０１２４】
図１３は、本開示の実施の形態に係るＮＧ６０＿ＳＴＡの構成の一例を示す図である。図１３に示すＮＧ６０＿ＳＴＡは、コントローラ１３０２と、メッセージ生成器１３０４と、メッセージプロセッサ１３０６と、ＰＨＹプロセッサ１３０８と、複数のアンテナ１３１０とを有する。
【０１２５】
コントローラ１３０２は、ＭＡＣプロトコルコントローラであり、一般的なＭＡＣプロトコル動作を制御する。
【０１２６】
メッセージ生成器１３０４は、コントローラ１３０２の制御下で、制御メッセージ、データメッセージ、または管理メッセージを生成する。
【０１２７】
メッセージ生成器１３０４によって生成されるメッセージは、ＮＧ６０＿ＰＣＰ／ＡＰから受信したＮＧ６０＿ＥＳＥおよびレガシＥＳＥを含んだフレームを備えている。ＮＧ６０＿ＳＴＡは、受信したＮＧ６０＿ＥＳＥにおける真の割当てに対応する仮想割当てをレガシＥＳＥに生成する。
【０１２８】
ＰＨＹプロセッサ１３０８は、メッセージ生成器１３０４によって生成されたメッセージに対して変調等のＰＨＹ処理を行う。アンテナ１３１０は、ＰＨＹ処理を行った送信データを送信する。
【０１２９】
また、アンテナ１３１０は、受信データを受信し、ＰＨＹプロセッサ１３０８は、受信データに対して復調等のＰＨＹ処理を行う。
【０１３０】
メッセージプロセッサ１３０６は、受信した制御メッセージ、データメッセージ、または管理メッセージをコントローラ１３０２の制御下で解析して、それらをコントローラ１３０２に提供する。
【０１３１】
図１３に示すＮＧ６０＿ＳＴＡは、図１１に示した処理１１００を以下のように実行する。
【０１３２】
アンテナ１３１０は、ＮＧ６０＿ＥＳＥおよびレガシＥＳＥを含むＤＭＧビーコンをＮＧ６０＿ＰＣＰ／ＡＰ（例：ＮＧ６０＿ＰＣＰ／ＡＰ５０４）から受信し、ＰＨＹプロセッサ１３０８は、受信したビーコンに対して復調等のＰＨＹ処理を行う。メッセージプロセッサ１３０６は、ＮＧ６０＿ＥＳＥおよびレガシＥＳＥを解析して、コントローラ１３０２に提供する。
【０１３３】
メッセージ生成器１３０４は、受信したＮＧ６０＿ＥＳＥにおける真の割当てに対応する仮想割当てを、受信したレガシＥＳＥに生成する。生成したレガシＥＳＥおよび受信したＮＧ６０＿ＥＳＥは、ＰＨＹプロセッサ１３０８による変調等のＰＨＹ処理の後、アンテナ１３１０を介して送信される。
【０１３４】
なお、図１２、１３に示す各構成は、ＬＳＩ回路などのハードウェアで実現可能である。また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュアラブル・プロセッサを利用してもよい。
【０１３５】
また、上記実施の形態では、本開示をハードウェアで構成する場合を例にとって説明したが、本開示はソフトウェアで実現することも可能である。
【０１３６】
以上、説明した本実施の形態によれば、ＮＧ６０＿ＥＳＥを復号するこが困難であるレガシＳＴＡまたはレガシＰＣＰ／ＡＰが、レガシＥＳＥを復号することによって、ＮＧ６０＿ＥＳＥにおける真の割当てに対応する仮想割当てを認識できる。これによって、レガシＳＴＡまたはレガシＰＣＰ／ＡＰは、チャネル時間割当てを再スケジューリングしたり、任意の他の適切な動作を実行したりできる。
【産業上の利用可能性】
【０１３７】
本開示にかかる通信方法及び非レガシ通信端末は、ミリ波ネットワークの通信に用いるのに好適である。
【符号の説明】
【０１３８】
１００，５００  ＰＣＰ／ＡＰクラスタ
１０２  Ｓ−ＰＣＰ／Ｓ−ＡＰ（同期ＰＣＰ／同期ＡＰ）
１０４，１０６  メンバＰＣＰ／ＡＰ
２０２，２０４，２０６  ＢＴＩ（ビーコン送信間隔）
２１２  Ｒｘ（受信間隔）
２２０  ビーコン間隔
３０２，４０２，８０２  要素ＩＤフィールド
３０４，４０４，８０４  長さフィールド
３０６，４０６，８０６  割当てフィールド
３１２  割当て制御フィールド
３１４  ＢＦ（ビームフォーミング）制御フィールド
３１６  ソースＡＩＤ（アソシエーション識別子）フィールド
３１８  デスティネーションＡＩＤフィールド
３２０  割当て開始フィールド
３２２  割当てブロック持続時間フィールド
３２６  ブロック数フィールド
３２８  割当てブロック期間フィールド
３３２  割当てＩＤフィールド
３３４  割当てタイプフィールド
３３６  擬似静的フィールド
３３８  切捨て可能（Truncatable）フィールド
３４０  拡張可能（Extendable）フィールド
４１２，８１２  帯域幅パラメータフィールド
４１４，８１６  情報フィールド
５０２，５０４  ＮＧ６０＿ＰＣＰ／ＡＰ
５０６  レガシＰＣＰ／ＡＰ
５１２ａ，５１２ｂ，５１４ａ，５１４ｂ  ＳＴＡ
６０２，６０４，６０６，６１６，６１８，７０２，７０４，７０６，７１６，７１８，９０２，９０４，９０６，９１６，９１８  真の割当て
６０８，７０８，７１２，７１４，９０８，９１２，９１４  仮想割当て
６２２，７２２，９２２  ＮＧ６０＿ＥＳＥ
６２４，７２４，９２４，９２６  レガシＥＳＥ
８１４  仮想割当て指示フィールド
１２０２，１３０２  コントローラ
１２０４  スケジューラ
１２０６，１３０６  メッセージプロセッサ
１２０８，１３０４  メッセージ生成器
１２１０，１３０８  ＰＨＹプロセッサ
１２１２，１３１０  アンテナ
１４００  ＤＭＧビーコン
１４０２  要素ＩＤ
１４０４  長さ
１４０６  ボディ
１４１０  ＭＡＣヘッダ
１４１１  ｎｏｎ−ＩＥ
１４１２  ＩＥ
１４１３  ＦＣＳ
【図１】
2020162164.tif 000003
【図２Ａ】
2020162164.tif 000004
【図２Ｂ】
2020162164.tif 000005
【図３】
2020162164.tif 000006
【図４】
2020162164.tif 000007
【図５】
2020162164.tif 000008
【図６】
2020162164.tif 000009
【図７Ａ】
2020162164.tif 000010
【図７Ｂ】
2020162164.tif 000011
【図８】
2020162164.tif 000012
【図９】
2020162164.tif 000013
【図１０】
2020162164.tif 000014
【図１１】
2020162164.tif 000015
【図１２】
2020162164.tif 000016
【図１３】
2020162164.tif 000017